【手続補正書】
【提出日】平成16年6月10日(2004.6.10)
【手続補正１】
【補正対象書類名】明細書
【補正対象項目名】特許請求の範囲
【補正方法】変更
【補正の内容】
【特許請求の範囲】
【請求項１】
装置本体とカートリッジ部材とを有するカートリッジ装着装置で前記装置本体に着脱自在に装着されるカートリッジ部材であって、
カートリッジ本体と、
所定の情報を記憶している情報記憶媒体と、
無線電波を少なくとも送信する無線アンテナと、
少なくとも前記情報を前記無線アンテナに無線送信させる無線送信手段と、を有しており、
前記無線送信の通信特性が可変であることを特徴とするカートリッジ部材。
【請求項２】
前記通信特性として前記無線送信の範囲が可変である請求項１に記載のカートリッジ部材。
【請求項３】
前記無線アンテナのアンテナ長が可変であることにより前記無線送信の範囲が可変である請求項２に記載のカートリッジ部材。
【請求項４】
前記通信特性として前記無線送信の方向が可変である請求項１または２に記載のカートリッジ部材。
【請求項５】
プリンタ本体とインクカートリッジとを有するプリンタ装置で前記プリンタ本体に着脱自在に装着されるインクカートリッジであって、
前記プリンタ本体に供給するインクを収容しているカートリッジ本体と、
所定の情報を記憶している情報記憶媒体と、
無線電波を少なくとも送信する無線アンテナと、
少なくとも前記情報を前記無線アンテナに無線送信させる無線送信手段と、を有しており、
前記無線送信の通信特性が可変であることを特徴とするインクカートリッジ。
【請求項６】
前記通信特性として前記無線送信の範囲が可変である請求項５に記載のインクカートリッジ。
【請求項７】
前記無線アンテナが複数の部分からなり、
前記無線アンテナの複数の部分の接続が接離されることでアンテナ長が可変されて前記無線送信の範囲が可変される請求項６に記載のインクカートリッジ。
【請求項８】
前記無線アンテナが複数の部分からなり、
前記無線アンテナの複数の部分が選択的に有効とされる請求項６に記載のインクカートリッジ。
【請求項９】
前記無線アンテナの複数の部分を接離させることで選択的に有効とする接離部を有している請求項８に記載のインクカートリッジ。
【請求項１０】
前記接離部が前記無線アンテナの複数の部分を弾発的に接離させる弾性部を有している請求項９に記載のインクカートリッジ。
【請求項１１】
前記接離部が前記無線通信を阻害する通信阻害部を有している請求項９に記載のインクカートリッジ。
【請求項１２】
前記無線アンテナの複数の部分がシート状に形成されており、
前記通信阻害部がシート状に形成されており、
前記無線アンテナの複数の部分の少なくとも一部と前記通信阻害部とが取外自在に積層されている請求項１１に記載のインクカートリッジ。
【請求項１３】
前記無線アンテナの複数の部分の少なくとも一部のアンテナ長が相違している請求項７ないし１２の何れか一項に記載のインクカートリッジ。
【請求項１４】
前記カートリッジ本体に取外自在に装着された保護部材を有しており、
前記無線アンテナの複数の部分の一部が前記カートリッジ本体に固定されているとともに他の一部が前記保護部材に固定されている請求項７ないし１３の何れか一項に記載のインクカートリッジ。
【請求項１５】
前記カートリッジ本体は、前記インクを前記プリンタ本体に給送するインク供給口と外部から大気を導入する大気連通口とが形成されており、
前記保護部材は、前記インク供給口と前記大気連通口との少なくとも一方を密閉している請求項１４に記載のインクカートリッジ。
【請求項１６】
前記カートリッジ本体が前記プリンタ本体に装着される以前の物流状態での前記無線送信の範囲が、前記カートリッジ本体が前記プリンタ本体に装着された使用状態での前記無線送信の範囲より大きい請求項６ないし１５の何れか一項に記載のインクカートリッジ。
【請求項１７】
前記カートリッジ本体が前記プリンタ本体に装着された使用状態での前記無線送信の範囲が、前記カートリッジ本体が前記プリンタ本体から取り外された廃棄状態での前記無線送信の範囲より小さい請求項６ないし１６の何れか一項に記載のインクカートリッジ。
【請求項１８】
前記通信特性として前記無線送信の方向が可変である請求項５または６に記載のインクカートリッジ。
【請求項１９】
前記無線アンテナは、前記無線送信の方向が相違する複数の部分を有しており、
前記無線アンテナの複数の部分が選択的に有効とされることで前記無線送信の方向が可変される請求項１８に記載のインクカートリッジ。
【請求項２０】
前記無線アンテナの複数の部分が前記カートリッジ本体の相違する外面に個々に配置されている請求項１９に記載のインクカートリッジ。
【請求項２１】
前記カートリッジ本体が前記プリンタ本体に装着される以前の物流状態では前記無線送信の方向が複数であり、前記カートリッジ本体が前記プリンタ本体に装着された使用状態では前記無線送信の方向が１つである請求項１８ないし２０の何れか一項に記載のインクカートリッジ。
【請求項２２】
前記情報記憶媒体は、所定の情報を更新自在に記憶し、
前記無線アンテナは、無線電波を受信し、
前記無線アンテナで受信された前記無線電波を情報に変換して前記情報記憶媒体に格納する情報格納手段を有している請求項５ないし２１の何れか一項に記載のインクカートリッジ。
【請求項２３】
電磁誘導により電力を発生して少なくとも前記無線送信手段に供給する電力発生手段も有している請求項５ないし２２の何れか一項に記載のインクカートリッジ。
【請求項２４】
前記カートリッジ本体に別体の無線ユニットが装着されており、
この無線ユニットは、少なくとも前記情報記憶媒体と前記無線アンテナと前記無線送信手段と前記特性可変手段とを有している請求項５ないし２３の何れか一項に記載のインクカートリッジ。
【請求項２５】
別体のインクカートリッジのカートリッジ本体に装着される無線ユニットであって、
所定の情報を記憶している情報記憶媒体と、
無線電波を少なくとも送信する無線アンテナと、
少なくとも前記情報を無線アンテナに無線送信させる無線送信手段と、
前記無線送信の通信特性を可変する特性可変手段と、
を有している無線ユニット。
【請求項２６】
インクカートリッジを梱包部材で梱包した物流パックであって、
請求項５ないし２４の何れか一項に記載のインクカートリッジと、
前記インクカートリッジの無線電波を少なくとも一つの外面まで良好に透過する梱包部材と、
を有している物流パック。
【請求項２７】
インクカートリッジを梱包部材で梱包した物流パックであって、
請求項５ないし２４の何れか一項に記載のインクカートリッジと、
前記インクカートリッジの無線電波を複数の方向ごとに複数の外面まで個々に良好に透過する梱包部材と、
を有している物流パック。
【請求項２８】
インクカートリッジがカートリッジ保持手段に着脱自在に装着されるプリンタ装置のプリンタ本体であって、
前記カートリッジ保持手段に請求項１６または１７に記載のインクカートリッジが装着され、
装着された前記使用状態の前記インクカートリッジの前記無線アンテナと無線通信する無線通信手段を有していることを特徴とするプリンタ本体。
【請求項２９】
前記カートリッジ保持手段は、複数のインクカートリッジが装着される請求項２８に記載のプリンタ本体。
【請求項３０】
前記無線通信手段は、装着された複数の前記インクカートリッジと個々に無線通信する請求項２９に記載のプリンタ本体。
【請求項３１】
複数の前記無線通信手段を有しており、
複数のインクカートリッジと複数の前記無線通信手段とが個々に無線通信する請求項２９に記載のプリンタ本体。
【請求項３２】
装着された前記インクカートリッジに電磁誘導で電力を供給する電力供給手段も有している請求項２８ないし３１の何れか一項に記載のプリンタ本体。
【請求項３３】
プリンタ本体にインクカートリッジが着脱自在に装着されるプリンタ装置であって、
請求項１６または１７に記載のインクカートリッジと、
請求項２８ないし３１の何れか一項に記載のプリンタ本体と、
を有しているプリンタ装置。
【請求項３４】
廃棄されるインクカートリッジが回収装置本体に投入されるカートリッジ回収装置であって、
請求項１７に記載のインクカートリッジが投入される回収装置本体と、
投入される前記インクカートリッジの前記廃棄状態での無線送信の範囲に位置して前記無線アンテナと無線通信する無線通信手段と、
を有しているカートリッジ回収装置。
【手続補正２】
【補正対象書類名】明細書
【補正対象項目名】０００７
【補正方法】変更
【補正の内容】
【０００７】
【課題を解決するための手段】
本発明のカートリッジ部材は、本体に着脱自在に装着されるカートリッジ部材であって、カートリッジ本体と、所定の情報を記憶している情報記憶媒体と、無線電波を少なくとも送信する無線アンテナと、少なくとも情報を無線アンテナに無線送信させる無線送信手段と、を有しており、無線送信の通信特性が可変である。
【手続補正３】
【補正対象書類名】明細書
【補正対象項目名】０００８
【補正方法】変更
【補正の内容】
【０００８】
本発明のカートリッジ部材では、情報記憶媒体が記憶している所定の情報を、無線送信手段が無線アンテナに無線送信させる。ただし、無線送信の通信特性が可変なので、例えば、装置本体に装着される以前の物流状態、装置本体に装着された使用状態、装置本体から取り外された廃棄状態、の各々で最適な通信特性を実現できる。
【手続補正４】
【補正対象書類名】明細書
【補正対象項目名】００１０
【補正方法】変更
【補正の内容】
【００１０】
本発明のインクカートリッジは、プリンタ装置のプリンタ本体に着脱自在に装着されるインクカートリッジであって、プリンタ本体に供給するインクを収容しているカートリッジ本体と、情報記憶媒体と、無線アンテナと、無線送信手段と、を有しており、無線送信の通信特性が可変である。
【手続補正５】
【補正対象書類名】明細書
【補正対象項目名】００１１
【補正方法】変更
【補正の内容】
【００１１】
本発明の無線ユニットは、別体のインクカートリッジのカートリッジ本体に装着される無線ユニットであって、情報記憶媒体と、無線アンテナと、無線送信手段と、を有しており、無線送信の通信特性が可変である。
【手続補正６】
【補正対象書類名】明細書
【補正対象項目名】００１２
【補正方法】変更
【補正の内容】
【００１２】
本発明の第１の物流パックは、インクカートリッジを梱包部材で梱包した物流パックであって、本発明のインクカートリッジと、インクカートリッジの無線電波を少なくとも一つの外面まで良好に透過する梱包部材と、を有している。本発明の第２の物流パックは、本発明のインクカートリッジと、インクカートリッジの無線電波を複数の方向ごとに複数の外面まで個々に良好に透過する梱包部材と、を有している。
【手続補正７】
【補正対象書類名】明細書
【補正対象項目名】００１３
【補正方法】変更
【補正の内容】
【００１３】
本発明のプリンタ本体は、インクカートリッジがカートリッジ保持手段に着脱自在に装着されるプリンタ装置のプリンタ本体であって、カートリッジ保持手段に本発明のインクカートリッジが装着され、装着された使用状態のインクカートリッジの無線アンテナと無線通信する無線通信手段を有している。
【手続補正８】
【補正対象書類名】明細書
【補正対象項目名】００２８
【補正方法】変更
【補正の内容】
【００２８】
つまり、本形態のインクカートリッジ１００では、ミシン目１２７でラベル１２０とともに無線アンテナ１３１が破断される構造が、本願発明の特性可変手段に相当する。
【手続補正９】
【補正対象書類名】明細書
【補正対象項目名】００３９
【補正方法】変更
【補正の内容】
【００３９】
また、プリンタ本体２０１の内部下方には、図８に示すように、フィードローラ２０４や駆動モータ２０５で副走査機構(図示せず)が形成されており、この副走査機構により、インクジェットヘッド２０３に下方から対向する位置で印刷用紙Ｐが前方に搬送される。
【手続補正１０】
【補正対象書類名】明細書
【補正対象項目名】００８５
【補正方法】変更
【補正の内容】
【００８５】
ただし、この無線アンテナ１７２は、第１部分１７３と第２部分１７４とが上下に分割されており、特性可変手段であり接離部に相当する押圧スイッチ１７５が、その第１部分１７３と第２部分１７４とを接離自在に接続している。より具体的には、カートリッジ本体１７１の前面には凹部１７６が形成されており、この凹部１７６に弾性部である押圧スプリング１７７を介して第３部分１７８が装着されている。
【手続補正１１】
【補正対象書類名】明細書
【補正対象項目名】０１００
【補正方法】変更
【補正の内容】
【０１００】
この第１の無線アンテナ１９１の上面後方には、これよりアンテナ長が短い第２の無線アンテナ１９２が積層されており、この第２の無線アンテナ１９２より前方の第１の無線アンテナ１９１の上面には通信阻害部である電波吸収層１９３が積層されており、第２の無線アンテナ１９２と電波吸収層１９３との上面には、第１の無線アンテナ１９１と同等なアンテナ長の第３の無線アンテナ１９４が積層されている。
【手続補正１２】
【補正対象書類名】明細書
【補正対象項目名】図面の簡単な説明
【補正方法】変更
【補正の内容】
【図面の簡単な説明】
【図１】
本発明の第１の実施の形態のカートリッジ部材であるインクカートリッジの物流状態と使用状態との外観を示す斜視図である。
【図２】
インクカートリッジの内部構造を示す縦断側面図である。
【図３】
保護部材であり無線ユニットでもあるラベルの要部の内部構造を示す縦断側面図である。
【図４】
ラベルの展開した外観を示す平面図である。
【図５】
ラベルの回路構造を示すブロック図である。
【図６】
物流パックの内部構造を示す縦断側面図である。
【図７】
使用状態のインクカートリッジを示す模式的な側面図である。
【図８】
プリンタ装置の内部構造を示す縦断側面図である。
【図９】
カートリッジ保持手段であるキャリッジにインクカートリッジが搭載された状態を示す正面図である。
【図１０】
プリンタ装置の初期設定の処理動作を示すフローチャートである。
【図１１】
第１の変形例のインクカートリッジを示す斜視図である。
【図１２】
第２の変形例のプリンタ装置でキャリッジにインクカートリッジが搭載された状態を示す正面図である。
【図１３】
第２の実施の形態のインクカートリッジの物流状態の外観を示す模式的な側面図である。
【図１４】
物流パックの内部構造を示す縦断側面図である。
【図１５】
使用状態のインクカートリッジを示す模式的な側面図である。
【図１６】
プリンタ装置の内部構造を示す縦断側面図である。
【図１７】
第３の実施の形態のインクカートリッジの内部構造を示す縦断側面図である。
【図１８】
プリンタ装置の内部構造を示す縦断側面図である。
【図１９】
カートリッジ回収装置の構造を示す模式図である。
【図２０】
第３の変形例のインクカートリッジの内部構造を示す縦断側面図である。
【図２１】
第４の実施の形態のインクカートリッジを示す模式的な側面図である。
【図２２】
第４の変形例のインクカートリッジを示す模式的な側面図である。
【図２３】
第５の変形例のインクカートリッジを示す模式的な側面図である。
【符号の説明】
１００，１５０，１６０，１７０，１８０，１９０，１９６，１９７    カートリッジ部材であるインクカートリッジ
１０１，１７１，    カートリッジ本体
１０４    インク
１０６    インク供給口
１０７    大気連通口
１１１    保護部材であるインクキャップ
１２０    保護部材であり無線ユニットでもあるラベル
１３１，１５１，１６１，１６２，１７２，１９１，１９２，１９４    無線アンテナ
１３２，１５２，１７３    第１部分
１３３，１５４，１７４    第２部分
１３５    情報記憶媒体であるフラッシュメモリ
１３６    無線送信手段および情報格納手段である無線通信回路
１３７    電力発生手段の一部である電源回路
１３８    電力発生手段の一部である誘導コイル
１４０，１６５，    物流パック
１４１〜１４４    梱包部材
１７５    特性可変手段であり接離部に相当する押圧スイッチ
１７８    第３部分
１７７    弾性部である押圧スプリング
１８１    通信ユニット
１９３    通信阻害部である電波吸収層
２００，２１０，２２０    プリンタ装置
２０１，２１１，２２１，    装置本体であるプリンタ本体
２０２，    カートリッジ保持手段であるキャリッジ
２０６    電力供給手段であり無線通信手段である通信ユニット
２０９    無線通信手段である無線通信装置
３００    カートリッジ回収装置
３０１    回収装置本体
Ｒ１，Ｒ２，ＲＬ，ＲＳ    通信範囲